【手続補正書】
【提出日】平成24年4月18日(2012.4.18)
【手続補正１】
【補正対象書類名】明細書
【補正対象項目名】０００８
【補正方法】変更
【補正の内容】
【０００８】
本発明の実施形態によると、注射器アセンブリーが提供される。この注射器アセンブリーは、
チャンバーと、開いた基端部と、末端部と、この末端部に近接して配されて前記チャンバーに対して流体連通状態にある出口とを画成する内側面を有する注射筒と、
この注射筒内に少なくとも一部が配置されるプランジャーアセンブリーであって、末端面を有する細長いプランジャーロッドと、末端シール面および基端面を有し、この基端面が連続した外周を有するプランジャーヘッドと、前記プランジャーロッドの末端面と前記プランジャーヘッドの基端面との間に延在する壊れやすい首部とを含み、前記プランジャーロッドおよび前記プランジャーヘッドが前記壊れやすい首部によって一体的に結合されたプランジャーアセンブリーと、
前記注射筒の内側面に配されて前記注射筒のチャンバーへと延在すると共に前記注射筒のチャンバーの外周に関して係合面を画成し、前記プランジャーヘッドの少なくとも一部を前記注射筒のチャンバー内の固定位置に係合して保持するようになっているのに対し、前記プランジャーロッドを前記注射筒のチャンバーから取り外すことを可能にする止め輪状固定部と
を含む。前記止め輪状固定部の係合面は、前記プランジャーヘッドが前記固定位置にある場合、前記プランジャーヘッドの基端面の連続した外周に外周係合状態で係合し、前記プランジャーアセンブリーが単一部品として形成されている。
【手続補正２】
【補正対象書類名】明細書
【補正対象項目名】００１６
【補正方法】変更
【補正の内容】
【００１６】
本発明のさらなる一実施形態によると、注射器のためのプランジャーアセンブリーが提供される。このプランジャーアセンブリーは、
末端面を有する細長いプランジャーロッドと、
末端シール面および基端面を有し、この基端面が注射筒と周縁係合をもたらすようになっている連続する外周を有するプランジャーヘッドと、
このプランジャーロッドの末端面とプランジャーヘッドの基端面の間に延在する壊れやすい首部と
を含む。プランジャーロッドおよびプランジャーヘッドは、壊れやすい首部により一体的に結合され、プランジャーアセンブリーは単一部品として形成されている。プランジャーロッドは、外側に延在するフランジをその基端部に含む。
【手続補正３】
【補正対象書類名】特許請求の範囲
【補正対象項目名】全文
【補正方法】変更
【補正の内容】
【特許請求の範囲】
【請求項１】
チャンバーと、開いた基端部と、末端部と、この末端部に近接して配されて前記チャンバーに対し流体連通状態にある出口とを画成する内側面を有する注射筒と、
この注射筒内に少なくとも一部が配置され、細長いプランジャーロッドと、末端シール面および基端面を有するプランジャーヘッドとを具え、このプランジャーヘッドの前記基端面が連続した外周を有し、前記プランジャーロッドおよび前記プランジャーヘッドが一体的に結合されたプランジャーアセンブリーと、
前記注射筒の内側面に配されて前記注射筒のチャンバーへと延在すると共に前記注射筒のチャンバーの外周に関して係合面を画成し、前記プランジャーヘッドの少なくとも一部を前記注射筒のチャンバー内の固定位置に係合して保持するようになっている止め輪状固定部と
を具え、前記止め輪状固定部の係合面は、前記プランジャーヘッドが前記固定位置にある場合、前記プランジャーヘッドの基端面の連続した外周に外周係合状態で係合し、
前記プランジャーアセンブリーが単一部品として形成されていることを特徴とする注射器アセンブリー。
【請求項２】
前記プランジャーヘッドは、前記注射筒のチャンバーの幅よりも僅かに大きな幅を前記末端シール面に有することを特徴とする請求項１に記載の注射器アセンブリー。
【請求項３】
前記止め輪状固定部の係合面が前記注射筒のチャンバーの外周に関して連続し、前記止め輪状固定部は、前記プランジャーヘッドが前記固定位置にある場合、前記プランジャーヘッドの基端面の連続した外周に連続外周係合状態で係合することを特徴とする請求項１に記載の注射器アセンブリー。
【請求項４】
前記止め輪状固定部が前記注射筒のチャンバー内に前記注射筒の末端部に近接して配されていることを特徴とする請求項１に記載の注射器アセンブリー。
【請求項５】
前記止め輪状固定部は、前記プランジャーヘッドを前記注射筒のチャンバー内の前記固定位置に前記注射筒の末端部に近接して保持することを特徴とする請求項４に記載の注射器アセンブリー。
【請求項６】
前記注射筒のチャンバーと流体連通状態にある針カニューレをさらに具えたことを特徴とする請求項１に記載の注射器アセンブリー。
【請求項７】
前記プランジャーアセンブリーは、前記プランジャーロッドと前記プランジャーヘッドの基端面との間に延在する壊れやすい首部をさらに含み、前記プランジャーロッドおよび前記プランジャーヘッドは前記壊れやすい首部によって一体的に結合されていることを特徴とする請求項１に記載の注射器アセンブリー。
【請求項８】
前記壊れやすい首部がテーパー部を具えていることを特徴とする請求項７に記載の注射器アセンブリー。
【請求項９】
前記壊れやすい首部は、前記プランジャーヘッドの基端面と前記プランジャーロッドの末端面との間に配された中心を有し、前記プランジャーヘッドの基端面および前記プランジャーロッドの末端面の両方から先細りになり、前記中心にて減少した直径を有することを特徴とする請求項８に記載の注射器アセンブリー。
【請求項１０】
前記壊れやすい首部は、前記注射器の少なくとも一部に吸引するために必要な力よりも大きく、かつ前記プランジャーヘッドを引き出して前記止め輪状固定部を通過させるために必要な力よりも小さな力を前記プランジャーロッドに加えることにより、壊れるようになっていることを特徴とする請求項７に記載の注射器アセンブリー。
【請求項１１】
前記止め輪状固定部は、前記注射筒の内側面と一体であることを特徴とする請求項１に記載の注射器アセンブリー。
【請求項１２】
前記止め輪状固定部は、ほぼＶ字形断面と、前記プランジャーヘッドが止め輪状固定部を通過して末端方向に滑動できるように、前記プランジャーヘッドの末端シール面に係合する前記止め輪状固定部の基端傾斜面とを有し、前記止め輪状固定部の係合面は、前記プランジャーヘッドの基端面に係合する前記止め輪状固定部の末端傾斜面であって、前記プランジャーヘッドが前記止め輪状固定部を滑動して基端方向に通過するのを抑制するようになっていることを特徴とする請求項１１に記載の注射器アセンブリー。
【請求項１３】
前記止め輪状固定部は、丸い先端を持ったほぼＶ字形断面と、前記プランジャーヘッドが前記止め輪状固定部を通過して末端方向に滑動できるように、前記プランジャーヘッドの末端シール面に係合する前記止め輪状固定部の基端面とを有し、前記止め輪状固定部の係合面は、前記プランジャーヘッドの基端面に係合する前記止め輪状固定部の末端面であって、前記プランジャーヘッドが止め輪状固定部を通過して基端方向に滑動するのを抑制するようになっていることを特徴とする請求項１１に記載の注射器アセンブリー。
【請求項１４】
前記止め輪状固定部は、平坦な先端を持ったほぼＶ字形断面と、前記プランジャーヘッドが前記止め輪状固定部を通過して末端方向に滑動できるように、前記プランジャーヘッドの末端シール面に係合する前記止め輪状固定部の湾曲した基端面とを有し、前記止め輪状固定部の係合面は、前記プランジャーヘッドの基端面に係合する前記止め輪状固定部の湾曲した末端面であって、前記プランジャーヘッドが前記止め輪状固定部を基端方向に通過して滑動するのを抑制するようになっていることを特徴とする請求項１１に記載の注射器アセンブリー。
【請求項１５】
注射器のためのプランジャーアセンブリーであって、
細長いプランジャーロッドと、
末端シール面および基端面を有し、この基端面が注射筒のチャンバーと周縁係合をもたらすようになっている連続する周囲を有するプランジャーヘッドと、
このプランジャーロッドと前記プランジャーヘッドの基端面の間に延在する壊れやすい首部と
を具え、前記プランジャーロッドおよび前記プランジャーヘッドが前記壊れやすい首部により一体的に結合され、
前記プランジャーアセンブリーが単一部品として形成されていることを特徴とするプランジャーアセンブリー。
【請求項１６】
前記プランジャーヘッドは前記注射器の注射筒内に配された前記止め輪状固定部に係合し、前記プランジャーヘッドの少なくとも一部が前記注射器の前記注射筒内の固定位置に保持されることができるようになっていることを特徴とする請求項１５に記載のプランジャーアセンブリー。
【請求項１７】
前記壊れやすい首部は、前記注射器の少なくとも一部に吸引するために必要な力よりも大きく、かつ前記止め輪状固定部を通過して前記プランジャーヘッドを引き出すために必要な力よりも小さな力を前記プランジャーロッドに加えることにより、壊れるようになっていることを特徴とする請求項１６に記載のプランジャーアセンブリー。
【請求項１８】
前記プランジャーヘッドは、前記プランジャーヘッドの基端面の幅よりも広い幅を前記末端シール面にて有することを特徴とする請求項１５に記載のプランジャーアセンブリー。
【請求項１９】
前記壊れやすい首部は、前記プランジャーヘッドの基端面および前記プランジャーロッドの末端面との間に配された中心部と、前記プランジャーヘッドの基端面および前記プランジャーロッドの両方から延在して前記中心部にて減少した直径を有するようなテーパー部とを具えていることを特徴とする請求項１５に記載のプランジャーアセンブリー。